(57)【要約】【課題】冷蔵庫の筐体底部の背面寄りの箇所を、部品点数を増やすことなく効果的に補強できる構造を提供する。【解決手段】冷蔵庫１の筐体１０は、鋼板を折曲して天面２４ａ、左側面２４ｂ、及び右側面２４ｃの３面を形成した外箱２４と、外箱２４の底面の後部に組み付けられる圧縮機基板２０を備える。外箱２４は、両側面２４ｂ、２４ｃの下端から内側に向かって折り曲げられた水平な内フランジ部２４ｇ、２４ｈを備えており、左側面２４ｂと内フランジ部２４ｇの境界、及び右側面２４ｃとうちフランジ部２４ｈの境界には、圧縮機基板２０の両側縁から立ち上がる立ち上がり片２０ａを通すスリット２４ｉが形成されている。圧縮機基板２０は外箱２４よりも肉厚である。【選択図】図９
2013019607.tif 000002
【特許請求の範囲】
【請求項１】
鋼板を折曲して天面及び両側面の３面を形成した外箱と、前記外箱の底面の後部に組み付けられる圧縮機基板を備え、
前記外箱は、前記両側面の下端から内側に向かって折り曲げられた水平な内フランジ部を備えており、
前記両側面と前記内フランジ部の境界には、前記圧縮機基板の両側縁から立ち上がる立ち上がり片を通すスリットが形成されていることを特徴とする冷蔵庫の筐体構造。
【請求項２】
前記圧縮機基板は、前記外箱の前記両側面の内面に固定されたアングル部材に対し、前記外箱の背面側と底面側でネジ止めされることを特徴とする請求項１に記載の冷蔵庫の筐体構造。
【請求項３】
前記圧縮機基板には前記外箱の背面から突き出すバンパー部が形成されていることを特徴とする請求項１または２に記載の冷蔵庫の筐体構造。
【請求項４】
前記圧縮機基板は前記外箱よりも肉厚であることを特徴とする請求項１から３のいずれかに記載の冷蔵庫の筐体構造。
【発明の詳細な説明】
【技術分野】
【０００１】
本発明は冷蔵庫の筐体構造に関する。
【背景技術】
【０００２】
冷蔵庫の筐体は、鋼板からなる外箱に合成樹脂からなる内箱を入れ、外箱と内箱の間に断熱材を詰め込む、あるいは外箱と内箱の間で断熱材の発泡成形を行う、というのが基本的な構成である。筐体の底部には圧縮機を上面に載置する圧縮機基板などの構造部材が配置される。このような冷蔵庫の筐体の構成例を特許文献１、２に見ることができる。
【０００３】
特許文献１に記載された冷蔵庫は、筐体下部に箱状の足廻り構造体を配置している。足廻り構造体は、圧縮機、蒸発配管等の高圧側ユニット、及び蒸発皿を支持する。足廻り構造体には前脚と後脚が取り付けられる。後脚は後方に突き出しており、そのため、冷蔵庫を傾けても足廻り構造体が直接下に当たることがないので、足廻り構造体に衝撃荷重が加わることによる足廻り構造体の変形や割れを防止できる。
【０００４】
特許文献２に記載された冷蔵庫は、筐体底面に冷気吸入管が取り付けられている。冷気吸入管が存在することにより、筐体は補強され、冷蔵庫が落下したときの衝撃や、冷蔵庫を輸送するときの振動で変形することが防止されている。
【先行技術文献】
【特許文献】
【０００５】
【特許文献１】実開平５−１９８７号公報
【特許文献２】特開平７−６３４６２号公報
【発明の概要】
【発明が解決しようとする課題】
【０００６】
冷蔵庫は重いので、運搬時に手が滑って落下することがしばしばある。落下して衝撃荷重がかかれば、筐体底部に凹みが生じる。落下しないまでも、傾いて筐体底部の角に集中荷重がかかればその箇所が凹む。扉のある正面側には傾いたり倒れたりしないように運搬者が気を配るので、多くの場合、背面側や側面側の角に凹みが生じることになる。図１０は冷蔵庫の落下試験の状況を示す図である。冷蔵庫筐体１００の底部の中でも、円や楕円で囲んだ箇所が凹みやすい箇所ということになる。
【０００７】
特許文献１に記載された足廻り構造体は、冷蔵庫が背面方向にのみ傾いて落下した場合には筐体底部が床面に衝突するのを防止するが、側面方向への傾きが加わった場合には、筐体底部の保護の役割を果たせない。特許文献２に記載された冷気吸入管は筐体前部に配置されており、冷蔵庫が正面側に傾いて落下する場合は筐体の変形防止の役割を果たすが、冷蔵庫が背面側に傾いて落下する場合にはそのような役割を果たせない。
【０００８】
本発明は上記の点に鑑みなされたものであり、冷蔵庫の筐体底部の背面寄りの箇所を、部品点数を増やすことなく効果的に補強できる構造を提供することを目的とする。
【課題を解決するための手段】
【０００９】
上記目的を達成するために、本発明に係る冷蔵庫の筐体構造は、鋼板を折曲して天面及び両側面の３面を形成した外箱と、前記外箱の底面の後部に組み付けられる圧縮機基板を備え、前記外箱は、前記両側面の下端から内側に向かって折り曲げられた水平な内フランジ部を備えており、前記両側面と前記内フランジ部の境界には、前記圧縮機基板の両側縁から立ち上がる立ち上がり片を通すスリットが形成されていることを特徴としている。
【００１０】
上記構成の冷蔵庫の筐体構造において、前記圧縮機基板は、前記外箱の前記両側面の内面に固定されたアングル部材に対し、前記外箱の背面側と底面側でネジ止めされることが好ましい。
【００１１】
上記構成の冷蔵庫の筐体構造において、前記圧縮機基板には前記外箱の背面から突き出すバンパー部が形成されていることが好ましい。
【００１２】
上記構成の冷蔵庫の筐体構造において、前記圧縮機基板は前記外箱よりも肉厚であることが好ましい。
【発明の効果】
【００１３】
本発明によると、冷蔵庫の筐体の底面の後部は圧縮機基板で強化されるから、斜め後方に傾いた状態で落下しても凹みが生じにくい。筐体を傾けたときの集中荷重にも耐えることができる。圧縮機基板は、両側縁から立ち上がる立ち上がり片を外箱の両側面に重ねるものであるから、筐体が背面方向にのみ傾いて落下した場合に限らず、側面方向への傾きが加わった状態で筐体が落下した場合にも圧縮機基板による保護機能が発揮される。また外箱は両側面の下端から内側に向かって折り曲げられた水平な内フランジ部を備え、両側面と内フランジ部の境界にはスリットが形成されていて、このスリットを通じて圧縮機基板の立ち上がり片が外箱内に挿入されるものであるから、外箱に対する圧縮機基板の組み付けを容易に行うことができる。しかもこの構造により、圧縮機基板は外箱の外に露出しないから、圧縮機基板によって冷蔵庫の外観が損なわれるということがない。
【図面の簡単な説明】
【００１４】
【図１】冷蔵庫筐体の側面図である。
【図２】図１の部分拡大図である。
【図３】冷蔵庫筐体の背面図である。
【図４】外箱の正面図である。
【図５】外箱の底面図である。
【図６】外箱底部の側面図である。
【図７】圧縮機基板の上面図である。
【図８】圧縮機基板を図７の線分Ａの箇所で断面した部分拡大断面図である。
【図９】外箱に対する圧縮機基板の組み付け作業を説明する斜視図である。
【図１０】冷蔵庫の落下試験について説明する図である。
【発明を実施するための形態】
【００１５】
図１から図３には完成形態の冷蔵庫１が示されている。冷蔵庫１の筐体１０の前面には２枚のドア１１、１２が設けられている。筐体１０は圧縮機と熱交換器（冷却器及び放熱器）を含む図示しない冷凍サイクルを内蔵しており、この冷凍サイクルが冷気を生成し、その冷気がダクトを通じて筐体１０内の各室に分配され、各室において必要とされる冷蔵温度または冷凍温度が得られる仕組みである。
【００１６】
筐体１０の底面には、後寄りの箇所に、前記図示しない冷凍サイクルの中の圧縮機を支持する圧縮機基板２０が配置される。圧縮機基板２０の取り付け方は後で説明する。圧縮機基板２０は冷蔵庫１を移動させるのに用いるローラ２１を支持している。
【００１７】
筐体１０の底面の前寄りの箇所には前脚ブラケット２２が取り付けられる。前脚ブラケット２２が支持する前脚２３は軸がねじになっており、軸線回りに回転させると前脚ブラケット２２に対し上下する。この前脚２３の上下を利用して冷蔵庫１の姿勢を調整する仕組みである。
【００１８】
筐体１０の骨格となるのは図９に示す外箱２４である。外箱２４は鋼板を折曲成形したものであって、その中に図示しない合成樹脂製内箱が入れられ、外箱２４と内箱の間で断熱材の発泡成形が行われることにより、筐体としての形が整えられ、且つ断熱構造とされる。
【００１９】
外箱２４には、天面２４ａ、左側面２４ｂ（冷蔵庫１の正面に立った観察者の左手の側を外箱２４の左側面とする）、右側面２４ｃの３面が形成されている。図４に示す通り、天面２４ａ、左側面２４ｂ、及び右側面２４ｃには、それぞれの正面側に、内側に向かって折り曲げられた内フランジ部２４ｄ、２４ｅ、２４ｆが形成されている。また図１に示す通り、左側面２４ｂと右側面２４ｃの下端には、そこから内側に向かって水平に折り曲げられた内フランジ部２４ｇ、２４ｈが形成されている。
【００２０】
外箱２４の背面には、鋼板をプレス成形した背面パネル２５（図１、図３参照）が取り付けられる。背面パネル２５の内側には前記図示しない冷凍サイクルの中の放熱器が配置される。
【００２１】
圧縮機基板２０は、外箱２４よりも肉厚の鋼板をプレス加工して形成される。例えば、外箱２４の板厚は０．４ｍｍから０．４５ｍｍといったレベルであるのに対し、圧縮機基板２０の板厚は１．０ｍｍといったレベルにされる。なお、ここに掲げた具体的数値は単なる例示であり、発明を限定するものではない。
【００２２】
圧縮機基板２０には、圧縮機を据え付けるための座形状がプレス成形されている。それに加えて、圧縮機基板２０の左右両側縁には、前後方向に延びる立ち上がり片２０ａが形成される。圧縮機基板２０の後縁の左右両端には、立ち上がり片２０ａに縁を接する立ち上がり片２０ｂ（図９参照）が形成される。立ち上がり片２０ｂは左右方向に延び、幅が狭い。
【００２３】
立ち上がり片２０ｂにはネジ通し孔２０ｃが形成される。圧縮機基板２０の中で、外箱２４の内フランジ部２４ｇ、２４ｈに重なる箇所にもネジ通し孔２０ｄが形成されている。内フランジ部２４ｇ、２４ｈにも、ネジ通し孔２０ｄに整列する箇所にネジ通し孔が形成されている。
【００２４】
圧縮機基板２０が内フランジ部２４ｇ、２４ｈの下面に重ねられたとき、立ち上がり片２０ａは外箱２４の左側面２４ｂと右側面２４ｃの内側に入り込む。これを可能にするため、左側面２４ｂと内フランジ部２４ｂの境界、すなわち角と、右側面２４ｃと内フランジ部２４ｃの境界、すなわち角には、立ち上がり片２０ａを通すスリット２４ｉが形成されている（図５及び図６参照）。このため、図９のように外箱２４を横倒しにしておいて圧縮機基板２０をあてがえば、圧縮機基板２０を容易に外箱２４に組み合わせることができる。
【００２５】
外箱２４の左側面２４ｂと右側面２４ｃの背面側の縁には、図６に示す通り、スリット２４ｉに連続する浅い切り欠き部２４ｊが形成されている。切り欠き部２４ｊは、立ち上がり片２０ｂの高さに見合う高さ、また立ち上がり片２０ｂの肉厚に見合う深さとされている。立ち上がり片２０ｂは切り欠き部２４ｊの中に収められ、外箱２４の外側にはみ出さない。
【００２６】
外箱２４に対する圧縮機基板２０の取り付けは次のようにして行われる。まず、図９の左上の図から右下の図のようにして外箱２４と圧縮機基板２０を組み合わせる。立ち上がり片２０ａは外箱２４の内側に隠れ、見えなくなる。
【００２７】
左側面２４ｂと内フランジ部２４ｇのなす角部の内側、及び右側面２４ｃと内フランジ部２４ｈのなす角部の内側には、それぞれ図示しない鋼製アングル部材が固定されている。このアングル部材に対し、立ち上がり片２０ｂのネジ通し孔２０ｃを通じて図示しないタッピングネジをねじ込む。これにより、外箱２４の背面の左右２箇所で、圧縮機基板２０のネジ止めが行われることになる。
【００２８】
同じアングル部材に対し、ネジ通し孔２０ｄと、それに整列する内フランジ部２４ｇ、２４ｈのネジ通し孔を通じて、図示しないタッピングネジをねじ込む。これにより、外箱２４の底面の左右２箇所で、圧縮機基板２０のネジ止めが行われることになる。
【００２９】
上記のように合計４箇所でネジ止めを行うことにより、圧縮機基板２０は外箱２４に対してしっかりと固定され、冷蔵庫１の筐体１０の底面の後部は圧縮機基板２０で補強される。このように圧縮機基板２０で補強されことにより、冷蔵庫１が落下しても筐体１０の底面後部には凹みが生じにくくなる。
【００３０】
圧縮機基板２０は、両側縁から立ち上がる立ち上がり片２０ａを外箱２４の左側面２４ｂと右側面２４ｃの内側に重ねるものであるから、筐体１０が背面方向にのみ傾いて落下した場合にしか圧縮機基板２０による保護機能が発揮されないということはなく、筐体１０が側面方向への傾きが加わった形で落下した場合にも圧縮機基板２０による保護機能が及ぶ。
【００３１】
圧縮機基板２０には、外箱２４の背面から突き出すバンパー部２０ｅが形成されている。図１に示す通り、バンパー部２０ｅは背面パネル２５の膨らみと同程度突き出している。バンパー部２０ｅは、冷蔵庫１の背面側に存在する物体に対し、外箱２４よりも先に当たり、外箱２４を保護する。
【００３２】
以上、本発明の実施形態につき説明したが、本発明の範囲はこれに限定されるものではなく、発明の主旨を逸脱しない範囲で種々の変更を加えて実施することができる。
【産業上の利用可能性】
【００３３】
本発明は冷蔵庫の筐体構造に広く利用可能である。
【符号の説明】
【００３４】
１    冷蔵庫
１０  筐体
２０  圧縮機基板
２０ａ  立ち上がり片
２０ｅ  バンパー部
２４  外箱
２４ａ  天面
２４ｂ  左側面
２４ｃ  右側面
２４ｇ、２４ｈ  内フランジ部
２４ｉ  スリット
【図１】
2013019607.tif 000003
【図２】
2013019607.tif 000004
【図３】
2013019607.tif 000005
【図４】
2013019607.tif 000006
【図５】
2013019607.tif 000007
【図６】
2013019607.tif 000008
【図７】
2013019607.tif 000009
【図８】
2013019607.tif 000010
【図９】
2013019607.tif 000011
【図１０】
2013019607.tif 000012